(57)【要約】【課題】  ウォーターハンマーの発生を効果的に抑制し、弁体の破損や給水管からの水漏れ、給湯器の故障等の発生を防止する。【解決手段】  ハンドル（１２）が取り付けられた棒状のスピンドル（１４）の先端に組み付けたパッキン（１６）を、水の閉め切りの直前にはゆっくりと動作させて、蛇口から流れ出る水を急激に遮断することなく徐々に減少させるために、スピンドルの外周に形成したネジ山のピッチおよびスピンドルを螺合するために蛇口本体（２２）に形成された螺子筒（２４）の内周のネジ溝のピッチを部分的に変更し、ハンドルの所定の回転量に対するパッキン（１６）の動作が、水の閉め切りの直前に小さくする水量漸減機構を蛇口に設ける。【選択図】  図１
2006214177.tif 000002
【特許請求の範囲】
【請求項１】
蛇口（１０）の止水を行う際のウォーターハンマーの発生を防止するために、
ハンドル（１２）が取り付けられた棒状のスピンドル（１４）の先端に組み付けたパッキン（１６）を、水の閉め切りの直前にはゆっくりと動作させることにより、蛇口から流れ出る水を急激に遮断することなく徐々に減少させて止水するための水量漸減機構（１８）を設けた、
ことを特徴とするウォーターハンマー防止蛇口。
【請求項２】
前記水量漸減機構（１８）は、スピンドル（１４）の外周に形成したネジ山のピッチおよびスピンドルを螺合するために蛇口本体（２２）に形成された螺子筒（２４）の内周のネジ溝のピッチを部分的に変更し、ハンドルの所定の回転量に対するパッキン（１６）の動作が、水の閉め切りの直前に小さくなるようにしたものである、
ことを特徴とする請求項１に記載のウォーターハンマー防止蛇口。
【請求項３】
前記水量漸減機構（１８）は、水の閉め切りの直前にハンドル（１２）の回転操作に所定の負荷がかかるようにしたものである、
ことを特徴とする請求項１に記載のウォーターハンマー防止蛇口。
【請求項４】
既存の蛇口のスピンドルと交換することでウォーターハンマーの発生を防止するためのウォーターハンマー防止蛇口用部品であって、
蛇口本体（２２）に形成された螺子筒（２４）の内径を変更するための円管状の調整筒（２６）と、該調整筒に螺合される棒状のスピンドル（１４）と、からなり、
前記スピンドルの外周に形成したネジ山のピッチおよび前記調整筒の内周に形成したネジ溝のピッチを部分的に変更し、ハンドル（１２）の所定の回転量に対するパッキン（１６）の上下動が、水の閉め切りの直前に小さくなるようにした、
ことを特徴とするウォーターハンマー防止蛇口用部品。
【請求項５】
既存の蛇口のスピンドル（１４）に取り付けることでウォーターハンマーの発生を防止するためのウォーターハンマー防止蛇口用部品であって、
蛇口本体（２２）に形成された螺子筒（２４）の上端部に取り付けられるカバーナット（２８）とスピンドルに取り付けられたハンドル（１２）との間に配置され、スピンドルの先端に組み付けたパッキン（１６）による水の閉め切りの直前に、カバーナット上面とハンドル下面との間に挟止されることでハンドルの回転操作に負荷を与える弾性体（３２）からなる、
ことを特徴とするウォーターハンマー防止蛇口用部品。
【発明の詳細な説明】
【技術分野】
【０００１】
この発明は水道の急激な止水操作に伴い発生するウォーターハンマーを防止するためのウォーターハンマー防止蛇口およびウォーターハンマー防止蛇口用部品に関する。
【背景技術】
【０００２】
近年の一般家庭用の上水道用の蛇口では、操作レバーを手動操作によって上下動させることにより水道の開閉や水量の調節を行うことができるものも採用されるようになってきているが、現在でも図６に示した従来方式の蛇口が主流である。この従来方式の蛇口は、ハンドルを回転させることによってスピンドルの先端に組み付けたパッキンを上下動させ、水道の開閉や水量の調節を行うものである。
【０００３】
より詳細に説明すると、図６に示した従来方式の蛇口は、蛇口のボディをなす蛇口本体２２と、蛇口先端となるエルボ状の接続筒３１と、水道の開閉や水量の調節を行う回転式の開閉部３３とから構成されている。
蛇口本体２２には、図示しない水道配管に接続するための入口側の継手部３５が基端側に形成され、先端側には水道水を放出するための吐水部３７が形成されている。また蛇口本体内には、水道配管と連通する一次側Ａと接続筒３１と連通する二次側Ｂとを隔てるための隔壁３９が形成されおり、この隔壁３９には一次側Ａから二次側Ｂに水道水を導きいれるための弁口４１が開設されている。さらに弁口４１の上方位置の二次側Ｂの部位には、開閉部３３を取り付けるための内面にネジ溝が彫られた螺子筒２４が垂直方向に形成されている。
接続筒３１は袋ナット４３によって、水密を保持して蛇口本体２２の吐水部３７に回転自在に取り付けられている。
開閉部３３は、上端側にハンドル１２が取り付けられたスピンドル１４の下端側外周に形成されたネジ山を螺子筒２４内周のネジ溝と螺合させ、スピンドル１４の下端側に組み付けたこま台４５の下面の合成ゴム製のパッキン１６を、ハンドル１２の回転によるスピンドル１４の上下動によって上下動させて、隔壁３９に開設された弁口４１の開閉を行い、水道の開閉や水量の調節を行う。
【０００４】
このような従来方式の蛇口は構造が単純で、操作性、耐久性、信頼性、メンテナンス性などに優れている一方、急激なハンドル操作を日常的に行なうことが多く、そのような場合、ウォーターハンマーと呼ばれる現象が発生しやすくなる。ウォーターハンマー現象とは、急激なレバー操作によって止水することで蛇口から流れ出る水道水に急ブレーキがかかる状態となる結果、水道管内を流れる水道水の運動エネルギが他のエネルギに変換され、甲高い衝撃音とともに水道管内の水圧が瞬間的に増大する現象である。ウォーターハンマーが頻繁に繰り返されると、蛇口自体にはもちろん、給水管やこれに接続される給湯器等にも衝撃が加わり続け、長期的には弁体の破損や給水管からの水漏れ、給湯器の故障等が発生する可能性がある。
【０００５】
そこで例えば特許文献１に記載の「主として洗濯機に用いる蛇口」のように、蛇口本体の吐水管の内腔に収容室を形成し、その内部に減圧弁機構を収納し、蛇口本体内に減圧弁機構を組み込んだ蛇口なども発案されている。
【特許文献１】特開平８−１４４３３８号公報
【発明の開示】
【発明が解決しようとする課題】
【０００６】
しかしながら特許文献１に記載の蛇口はその構造が複雑であり製造コストが高くなるとともに、バッファとなる収容室を蛇口に形成する必要があることから蛇口全体の大きさが大きくなるといった問題があった。また、既存の従来方式の蛇口にはこれをそのまま後付けにより適用することはできず、従来方式の蛇口が既に用いられている場合にはこれを取り外してから新たな蛇口に交換しなければならないといった問題もあった。
【０００７】
本発明は上記問題点に鑑みて創案されたもので、その目的は構造が単純でその製造コストも低廉であり、全体の大きさも従来方式の蛇口と変えることなくウォーターハンマーの発生を効果的に抑制し、弁体の破損や給水管からの水漏れ、給湯器の故障等の発生を防止することができるウォーターハンマー防止蛇口を提供することを目的とする。また本発明は、既存の従来方式の蛇口本体の交換をすることなく、既存の蛇口に後付けすることができるウォーターハンマー防止蛇口用部品を提供することも目的とする。
【課題を解決するための手段】
【０００８】
上記目的を達成するため請求項１に記載のウォーターハンマー防止蛇口は、蛇口（１０）の止水を行う際のウォーターハンマーの発生を防止するために、ハンドル（１２）が取り付けられた棒状のスピンドル（１４）の先端に組み付けたパッキン（１６）を、水の閉め切りの直前にはゆっくりと動作させることにより、蛇口から流れ出る水を急激に遮断することなく徐々に減少させて止水するための水量漸減機構（１８）を設けた、ことを特徴とする。
【０００９】
より具体的には、請求項２に記載したように、前記水量漸減機構（１８）は、スピンドル（１４）の外周に形成したネジ山のピッチおよびスピンドルを螺合するために蛇口本体（２２）に形成された螺子筒（２４）の内周のネジ溝のピッチを部分的に変更し、ハンドルの所定の回転量に対するパッキン（１６）の動作が、水の閉め切りの直前に小さくなるようにしたものである、か、請求項３に記載したように、水の閉め切りの直前にハンドル（１２）の回転操作に所定の負荷がかかるようにしたものである。
【００１０】
また請求項４に記載のウォーターハンマー防止蛇口用部品は、既存の蛇口のスピンドルと交換することでウォーターハンマーの発生を防止するためのウォーターハンマー防止蛇口用部品であって、蛇口本体（２２）に形成された螺子筒（２４）の内径を変更するための円管状の調整筒（２６）と、該調整筒に螺合される棒状のスピンドル（１４）と、からなり、前記スピンドルの外周に形成したネジ山のピッチおよび前記調整筒の内周に形成したネジ溝のピッチを部分的に変更し、ハンドル（１２）の所定の回転量に対するパッキン（１６）の上下動が、水の閉め切りの直前に小さくなるようにした、ことを特徴とする。
【００１１】
また請求項５に記載のウォーターハンマー防止蛇口用部品は、既存の蛇口のスピンドル（１４）に取り付けることでウォーターハンマーの発生を防止するためのウォーターハンマー防止蛇口用部品であって、
蛇口本体（２２）に形成された螺子筒（２４）の上端部に取り付けられるカバーナット（２８）とスピンドルに取り付けられたハンドル（１２）との間に配置され、スピンドルの先端に組み付けたパッキン（１６）による水の閉め切りの直前に、カバーナット上面とハンドル下面との間に挟止されることでハンドルの回転操作に負荷を与える弾性体（３２）からなる、ことを特徴とする。
【発明の効果】
【００１２】
請求項１に記載の発明によれば、スピンドルの先端のパッキンを水の閉め切りの直前にゆっくりと作動させ、蛇口から流れ出る水を徐々に減少させて止水してやることで、水の急激な遮断による止水を防ぎ、ウォーターハンマーの発生を回避することができる。これにより蛇口や給水管、給湯器等の破損や水漏れ、給湯器の故障等の発生確率を低減することができる。
【００１３】
請求項２に記載の発明によれば、スピンドルのネジ山のピッチおよび螺子筒の螺子溝のピッチを部分的に変更し、ハンドルの所定の回転量に対するパッキンの上下動を、水の閉め切りの直前に小さくなるようにしてやることで、一定の回転速度でスピンドルに取り付けられたハンドルが操作された場合にも、急激な水の遮断を回避することができる。なお本発明によれば特許文献１に記載の発明のようにバッファとなる特別な収容室も必要いため、蛇口の大きさを大きくすることなく、非常に簡易な構成によりウォーターハンマーの発生を防止することができる。
【００１４】
また請求項３に記載の発明によれば、水の閉め切りの直前にハンドルの回転操作に所定の負荷がかかるようにしてやることで、一定の力によって蛇口のハンドルが操作される場合に、急激な水の遮断によるウォーターハンマーの発生を防止することができる。
【００１５】
請求項４に記載の発明は既存の従来方式の蛇口に後付けにより適用することを目的としたもので、既存の蛇口のスピンドルと交換するためのものである。本発明では、蛇口本体に形成された螺子筒にその内周のネジ溝のピッチを部分的に変更するための調整筒を取り付け、これに外周にネジ山のピッチを部分的に変更したスピンドルを螺合して、ハンドルの所定の回転量に対するパッキンの上下動を水の閉め切りの直前に小さくなるようにしてやることで、一定の回転速度で蛇口のハンドルが操作された場合にも、急激な水の遮断によるウォーターハンマーの発生を防止することができる。なお本発明によれば従来技術のように蛇口全体を交換する必要がなく既存の蛇口本体をそのまま使用することができるため、その適用に多くのコストや手間を要することなく蛇口や給水管、給湯器等の破損や水漏れ、給湯器の故障等の発生確率を低減することができる。
【００１６】
請求項５に記載の発明も既存の従来方式の蛇口に後付けにより適用するものであるが、請求項４に記載の発明のようなスピンドルの交換を要するものではない。本発明では、ハンドルとカバーナットとの間に、水の閉め切り前にスピンドルのねじ込み回転を阻害して負荷を与える弾性体を配置することで、一定以上の力を水の閉め切りのために必要とさせ、これにより急激な水の遮断によるウォーターハンマーの発生を防止する。
【発明を実施するための最良の形態】
【００１７】
以下、本発明の好ましい実施形態を図面を参照して説明する。なお従来方式の蛇口と同様の構成の部位については同一の符号を付す。
【００１８】
図１は本発明のウォーターハンマー防止蛇口の構造を示すための縦断面図であり、蛇口が止水された状態を表している。図に示したようにこの蛇口１０は、蛇口のボディとなる蛇口本体２２と、円筒管をエルボ状に形成した蛇口先端となる接続筒３１と、水道の開閉や水量の調節を行う回転式の開閉部３３とから構成されている。
【００１９】
蛇口本体２２の基端側には、図示しない水道配管に接続するための入口側の継手部３５が、蛇口本体２２の先端側には水道水を放出するための吐水部３７が形成されている。また蛇口本体２２内には、水道配管と連通する一次側Ａと、接続筒３１と連通する二次側Ｂとを隔てる隔壁３９が形成されおり、この隔壁３９には一次側Ａから二次側Ｂに水道水を導き入れるための水平な円形面をなす弁口４１が開設されている。さらに弁口４１の上方位置の二次側Ｂの部位には、弁口４１と軸線を一致させた開閉部３３を取り付けるための内面にネジ溝が彫られた螺子筒２４が垂直方向に形成されている。
【００２０】
接続筒３１は袋ナット４３によって水密を保持して蛇口本体２２の吐水部３７に回転自在に取り付けられており、この接続筒３１を軸周りに回転させることで、吐水する角度を様々に変更することができるようになっている。
【００２１】
開閉部３３は、蛇口本体２２の螺子筒２４と螺合するネジ山が下端側の外周に形成されたスピンドル１４と、スピンドル１４の上部に取り付けられたハンドル１２と、スピンドル１４の下端に上下に摺動自在に嵌挿したこま台４５と、こま台４５の下面に装着した合成ゴムからなるパッキン１６とから構成されている。ハンドル１２を回転操作することでスピンドル１４は回転し、こま台４５に装着されたパッキン１６が蛇口本体２２の弁口４１を開閉することで、水道の開閉を行うことができる。
【００２２】
上述した蛇口１０の構造は従来型の水道の蛇口と同様であり、またその外観や大きさも従来型のものと変わるところはない。しかしながら本発明のウォーターハンマー防止蛇口には以下の実施例に示す水量漸減機構が設けられており、この水量漸減機構によってウォーターハンマーの発生防止を実現している。
【実施例１】
【００２３】
図２は水量漸減機構をより詳細に説明するために、図１で円で囲んだ部分を拡大したものである。
この水量漸減機構１８は、ハンドル１２の所定の回転量に対するパッキン１６の動作が、水の閉め切りの直前に小さくなるようにするものであり、蛇口本体２２の螺子筒２４およびこれに螺合されるスピンドル１４に形成されている。
【００２４】
螺子筒２４には図２に示した通りその下端側から、その内径が大きな螺子筒下段部４７ａと、その内径が小さな螺子筒中段部４７ｂと、その内径が大きな螺子筒上段部４７ｃとが段階的に形成されている。螺子筒下段部４７ａは螺子筒中段部４７ｂの１．５倍の深さを有しており、螺子筒上段部４７ｃは螺子筒上段部４７ｃの約半分の深さを有している。
ここで螺子筒中段部４７ｂの内周には大きなピッチでネジ溝が形成されており（従来方式の蛇口の螺子筒のネジ溝のピッチと同じ）、螺子筒上段部４７ｃの内周には小さなピッチでネジ溝が形成されているが、螺子筒下段部４７ａにはネジ溝は形成されていない。なお判別を容易にするために各ネジ溝の大きさは実際よりも大きく強調して表してある。
【００２５】
螺子筒２４に挿入される部分のスピンドル１４には図２に示した通り下端側から、その外径が中位のスピンドル下段部４９ａと、その外径が小さなスピンドル中段部４９ｂと、その外径が大きなスピンドル上段部４９ｃとが段階的に形成されている。スピンドル中段部４９ｂはスピンドル下段部４９ａの１．５倍の軸方向長さを有しており、スピンドル上段部４９ｃはスピンドル下段部４９ａの約半分の軸方向長さとなっている。ここでスピンドル下段部４９ａの外周には大きなピッチでネジ山が形成されており（従来方式の蛇口のスピンドルのネジ山のピッチと同じ）、スピンドル上段部４９ｃの外周には小さなピッチでネジ山が形成されているが、スピンドル中段部４９ｂにはネジ山は形成されていない。なお判別を容易にするために各ネジ山の大きさは実際よりも大きく強調して表してある。
【００２６】
上述した螺子筒２４およびスピンドル１４とは、螺子筒中段部４７ｂのネジ溝がスピンドル下段部４９ａのネジ山と螺合し、螺子筒上段部４７ｃのネジ溝がスピンドル上段部４９ｃのネジ山と螺合するようになっている。また、螺子筒下段部４７ａに対してはスピンドル下段部４９ａが空転し、螺子筒中段部４７ｂに対してはスピンドル中段部４９ｂが空転するようになっている。
【００２７】
図３に螺子筒２４にスピンドル１４が螺合してスピンドル１４の下端に嵌挿したこま台４５に装着したパッキン１６が、蛇口本体２２の弁口４１を閉鎖する様子を示した。
（１）螺子筒２４に差し入れたスピンドル１４をねじ込むと、螺子筒中段部４７ｂのネジ溝にスピンドル下段部４９ａのネジ山が螺合を開始する（図３（ａ））。
（２）スピンドル下段部４９ａの全体と螺子筒中段部４７ｂの全体が完全に螺合したあと、さらにスピンドル１４をねじ込むと、スピンドル下段部４９ａが螺子筒下段部４７ａに進入するとともに、スピンドル中段部４９ｂが螺子筒中段部４７ｂに進入してくる。このとき螺子筒下段部４７ａに進入したスピンドル下段部４９ａは螺子筒下段部４７ａに対して空転し、また、スピンドル中段部４９ｂは螺子筒中段部４７ｂに対して空転する（図３（ｂ））。
（３）さらにスピンドル１４をねじ込むとスピンドル下段部４９ａの全体が完全に螺子筒下段部４７ａに収容される。スピンドル下段部４９ａ全体が螺子筒下段部４７ａに収容されると、スピンドル１４は螺子筒２４に対して空転するようになるが、その直前にスピンドル上段部４９ｃのネジ山が螺子筒上段部４７ｃのネジ溝と螺合を開始する（図３（ｃ））。
（４）スピンドル上段部４９ｃの全体が螺子筒上段部４７ｃに螺合するとき、スピンドル１４の下端は螺子筒２４の最深部に達する（図３（ｄ））。スピンドル１４の下端が螺子筒２４の最深部に達すると、スピンドル１４の下端に嵌挿されたこま台４５の下面に装着したパッキン１６は、隔壁３９に開設された弁口４１を完全に塞ぎ、蛇口１０からの水の吐出を遮断する。
【００２８】
ここで、螺子筒上段部４７ｃのネジ溝とスピンドル上段部４９ｃのネジ山は、螺子筒中段部４７ｂのネジ溝とスピンドル下段部４９ａのネジ山と比べて小さなピッチで形成されているため、所定のスピンドル１４の回転量に対してスピンドル１４が軸方向下方に移動する移動量は小さくなる。これにより蛇口１０の閉め切りの直前には、蛇口１０からの水は徐々に減少することとなり、蛇口１０から流れ出る水の急激な遮断によるウォーターハンマーの発生が回避される。なお本発明のウォーターハンマー防止蛇口では、従来方式の蛇口よりも水の閉め切りの直前でのハンドルの回転量が多くなるが、ハンドルに加える力は小さくてすむため、これまでよりも小さな力で確実に止水することができるようになるといった副次的効果もある。
【００２９】
図４に上述した水量漸減機構１８の応用例を示した。なおこの図では図２と同様に図１の円で囲った部分に相当する部分のみを拡大して表してある。
この水量漸減機構１８も上記と同様に、水の閉め切りの直前にスピンドル１４の先端に組み付けたパッキン１６をゆっくりと作動させるために、スピンドル１４に形成したネジ山のピッチと、螺子筒２４に形成したネジ溝のピッチを部分的に小さくするものであるが、既存の従来方式の蛇口本体２２に後付けすることができることを特徴としている。
【００３０】
このウォーターハンマー防止蛇口用部品は、既存の従来方式の蛇口本体２２の螺子筒２４からスピンドルを取り外し、ここに螺子筒２４の内径を変更するための円管状の調整筒２６を取り付け、この調整筒に新たなスピンドル１４を螺合するものである。
【００３１】
調整筒２６はその外径を螺子筒２４の内径と同じくし、その外周にはネジ山が形成されている。このネジ山を、螺子筒の内周に形成されたネジ溝と螺合することで、調整筒２６は螺子筒２４の内部にその全部が収容されて固定される。
また調整筒２６の内周には、その下端側から、その内径が大きな調整筒下段部５１ａと、その内径が小さな調整筒中段部５１ｂと、その内径が大きな調整筒上段部５１ｃとが段階的に形成されている。調整筒下段部５１ａは調整筒中段部５１ｂと同程度の深さを有しており、調整筒上段部５１ｃは調整筒中段部５１ｂの約半分の深さを有している。ここで調整筒中段部５１ｂの内周には大きなピッチでネジ溝が形成されており、調整筒上段部５１ｃの内周には小さなピッチでネジ溝が形成されているが、調整筒下段部５１ａにはネジ溝は形成されていない。
【００３２】
スピンドル１４は前述のスピンドルとほぼ同様の形状をしているため図面に図１と同様の符号を付すことによりその詳細な説明は省略するが、調整筒２６の内周に形成されたネジ溝とスピンドル１４の各部位のネジ山とが螺合するように、各部位の内径が前述のスピンドル１４の内径よりも調整筒２６の肉厚の分だけ小さくなっている。
【００３３】
図４に示したウォーターハンマー防止蛇口用部品（調整筒２６およびスピンドル１４）によれば、既存の従来方式の蛇口本体２２を交換することなくこれに後付けすることで、ハンドルの所定の回転量に対して水の閉め切り前にパッキン１６をゆっくりと動作させることができ、急激な水の遮断を回避してウォーターハンマーの発生を防止することができる。これにより、多くのコストや手間を要することなく、蛇口１０や給水管、給湯器等の破損や水漏れ、給湯器の故障等の発生確率を低減することができる。
【００３４】
なお上述した水量漸減機構１８では、スピンドル下段部４９ａの螺子筒２４または調整筒２６への螺合が解除される直前にスピンドル上段部４９ｃの螺子筒への螺合が開始するようになっている。すなわち、スピンドルネジ山と螺子筒のネジ溝とは常に係合するものとしている。しかしながら、スピンドル下段部４９ａの螺子筒２４または調整筒２６への螺合が解除されたあとに、スピンドルが螺子筒等に対して空転するものとし、さらにスピンドルをねじ込みたい場合には、下向きの力を加えた状態でスピンドルをねじ込み回転させることで、スピンドル上段部４９ｃの螺子筒への螺合を開始させる構成とすることも可能である。
【実施例２】
【００３５】
図５に本発明のウォーターハンマー防止蛇口用部品を取り付けたウォーターハンマー防止蛇口を示した。この図に示したように、この蛇口１０は既存の従来方式の水道の蛇口であるが、カバーナット２８とハンドル１２との間のスピンドル１４の外周には硬質ゴムからなる弾性体３２が取り付けられている。なおこの弾性体３２は、硬質ゴムに限られるものではなく、弾性を有する硬質プラスティックやばね材等を使用することも勿論可能である。
【００３６】
この弾性体３２はその内径が取り付けられるスピンドル１４の外径と同じ大きさの円筒形状をしており、その軸方向長さは、スピンドルの先端に取り付けられたこま台４５に装着されたパッキン１６が、弁口４１を完全に塞いで水を遮断したときの、カバーナット２８から外部に突出するハンドル１２の下側に位置する部分のスピンドルの長さよりも若干長くなっている。
すなわちこの弾性体３２は、ハンドル１２を回転させてスピンドル先端のパッキン１６が弁口４１の近傍まで下降する際にはスピンドル１４とともに回転しながら下方に移動してハンドル１２の回転操作を何ら阻害するものではないが（図５（ａ）参照）、水の閉め切りの直前にはカバーナット２８の上面とハンドル１２の下面との間に挟止され、ハンドル１２のねじ込み回転（スピンドルの下降）を阻害する（図５（ｂ）参照）。
【００３７】
このように水の閉め切りの直前に、スピンドル１４に取り付けた弾性体３２によってハンドル１２の回転操作に一定の負荷を与えることで、ハンドル１２を回転させる者は水の閉め切りのために意識的にさらに力を加える必要があり、これにより従来無意識に行われていた急激な水の遮断操作を回避してウォーターハンマーの発生を防止することができる。
【００３８】
以上説明したように本発明のウォーターハンマー防止蛇口は、その構造が単純で製造コストも低廉であり、蛇口全体の大きさも従来方式のものよりも大きくなることもなく、ウォーターハンマーの発生を効果的に回避し、これにより弁体の破損や給水管からの水漏れ、給湯器の故障等の発生を防止することができる。また上述のようなウォーターハンマー防止蛇口用部品を用いることで、既存の従来方式の蛇口本体の交換をすることなく、既存の蛇口に後付けすることによって簡易にウォーターハンマーの発生を回避することが可能となる。
【産業上の利用可能性】
【００３９】
本発明は家庭用の水道の蛇口への適用を主目的としたものであるが、流体の急激な遮断操作によるウォーターハンマーの発生を防止する必要があるものについては勿論これを適用することができる。また蛇口以外のバルブ等についても適用することができることは勿論である。
【図面の簡単な説明】
【００４０】
【図１】実施例１の蛇口の内部構造を示すための縦断面図である。
【図２】図１の円で囲った部分の拡大図である。
【図３】スピンドルの下端のパッキンが蛇口本体の弁口を閉鎖する様子を示した図である。
【図４】実施例１の応用例であるウォーターハンマー防止蛇口用部品を説明するための部分拡大図である。
【図５】実施例２におけるウォーターハンマー防止蛇口用部品の動作を説明するための図である。
【図６】従来方式の蛇口の内部構造を示すための縦断面図である。
【符号の説明】
【００４１】
１０  蛇口
１２  ハンドル
１４  スピンドル
１６  パッキン
１８  水量漸減機構
２２  蛇口本体
２４  螺子筒
２６  調整筒
２８  カバーナット
３１  接続筒
３２  弾性体
３３  開閉部
３５  継手部
３７  吐水部
３９  隔壁
４１  弁口
４３  袋ナット
４５  こま台
４７ａ  螺子筒下段部
４７ｂ  螺子筒中段部
４７ｃ  螺子筒上段部
４９ａ  スピンドル下段部
４９ｂ  スピンドル中段部
４９ｃ  スピンドル上段部
５１ａ  調整筒下段部
５１ｂ  調整筒中段部
５１ｃ  調整筒上段部
Ａ  一次側
Ｂ  二次側
【図１】
2006214177.tif 000003
【図２】
2006214177.tif 000004
【図３】
2006214177.tif 000005
【図４】
2006214177.tif 000006
【図５】
2006214177.tif 000007
【図６】
2006214177.tif 000008